(57)【要約】  本発明は、個人の皮膚と接触するように構成された第１のテキスタイル部（２）と第２のテキスタイル部（３）とを重ねることにより形成される、ベスト、ズボン、又は帽子などの、個人が着用することを意図された電子衣類であって、前記第１のテキスタイル部（２）が、生理的信号を受信するように構成された複数のセンサ（４）と、複数の第１の機械的・電気的接続要素（５）を備え、各センサ（４）は、少なくとも１つの第１の機械的・電気的接続要素（５）に電気的に接続され、前記第２のテキスタイル部（３）が、前記第１の機械的・電気的接続要素（５）に機械的・電気的に接続されるように構成された複数の第２の機械的・電気的接続要素（６）と、第２の機械的・電気的接続要素（６）を電子システムに電気的に接続するように構成された複数の導電性相互接続トラック（７）を備える、電子衣類に関する。【選択図】図１
2020512095.tif 000002
【特許請求の範囲】
【請求項１】
個人の皮膚と接触するように構成された第１のテキスタイル部（２）と第２のテキスタイル部（３）とを重ねることにより形成される、ベスト、ズボン、又は帽子などの、個人が着用することを意図された電子衣類（１）であって、
−前記第１のテキスタイル部（２）が、生理的信号を受信するように構成された少なくとも１つのセンサ（４）と、少なくとも１つの第１の機械的・電気的接続要素（５）を備え、各センサ（４）は、第１の機械的・電気的接続要素（５）に電気的に接続され、
−前記第２のテキスタイル部（３）が、第１の機械的・電気的接続要素（５）と機械的・電気的に接続されるように構成された少なくとも１つの第２の機械的・電気的接続要素（６）と、前記又は各第２の機械的・電気的接続要素（６）を電子システムに電気的に接続するように構成された少なくとも１つの導電性相互接続トラック（７）を備え、
前記第１のテキスタイル部（２）と前記第２のテキスタイル部（３）が重ね合わされるときに対向して配置される、少なくとも１つの第１の機械的・電気的接続要素（５）と少なくとも１つの第２の機械的・電気的接続要素（６）との接続により、前記第１のテキスタイル部（２）が前記第２のテキスタイル部（３）に機械的に連結される、電子衣類（１）。
【請求項２】
表面の少なくとも８０％にわたる、特に表面の実質的に全体にわたる、前記第１のテキスタイル部（２）と前記第２のテキスタイル部（３）との重ね合わせを備える、請求項１に記載の電子衣類。
【請求項３】
前記第１のテキスタイル部（２）及び前記第２のテキスタイル部（３）が管状である、請求項１又は２のいずれかに記載の電子衣類。
【請求項４】
前記第１のテキスタイル部（２）が、その表面にわたって分布し、第１の機械的・電気的接続要素（５）の近傍にそれぞれ存在する、複数のセンサ（４）を備え、一方、前記第２のテキスタイル部（３）が、電子システムとの接続ゾーンの方向に第２の機械的・電気的接続要素（６）からそれぞれ延びる、複数の導電性相互接続トラック（７）を備える、先行する請求項のいずれかに記載の電子衣類。
【請求項５】
前記第１のテキスタイル部（２）と第２のテキスタイル部（３）が単一のテキスタイル部により画定され、前記単一のテキスタイル部が折り畳みライン（８）に沿ってそれ自体の上に折り畳まれ、前記少なくとも１つの第１の機械的・電気的接続要素（５）と前記少なくとも１つの第２の機械的・電気的接続要素（６）が、前記単一のテキスタイル部の折り畳みライン（８）に関して対称に配置される、先行する請求項のいずれかに記載の電子衣類。
【請求項６】
前記又は各導電性相互接続トラック（７）が、導電ワイヤを織り込むこと、刺繍すること、レース加工すること、縫い込むこと、又は編み込むことにより、若しくは導電インクのプリントにより実装される、先行する請求項のいずれかに記載の電子衣類。
【請求項７】
前記第２のテキスタイル部（３）が帯電防止シールド手段を備える、先行する請求項のいずれかに記載の電子衣類。
【請求項８】
前記第１のテキスタイル部（２）が電磁シールド手段を備える、先行する請求項のいずれかに記載の電子衣類。
【請求項９】
前記第１の機械的・電気的接続要素（５）が、前記第２の機械的・電気的接続要素（６）の雄要素又は雌要素とそれぞれ協働することを意図された雌要素又は雄要素を備える、先行する請求項のいずれかに記載の電子衣類。
【請求項１０】
第３の絶縁テキスタイル部及び第４の電磁シールドテキスタイル部をさらに備え、前記第３のテキスタイル部が、前記第２のテキスタイル部と前記第４のテキスタイル部との間に存在する、先行する請求項のいずれかに記載の電子衣類。
【請求項１１】
第５のテキスタイル部をさらに備え、前記第５のテキスタイル部が、好ましくは、帯電防止シールド手段を備える、先行する請求項のいずれかに記載の電子衣類。
【請求項１２】
前記第１のテキスタイル部及び／又は前記第２のテキスタイル部の機械的・電気的接続要素に機械的・電気的に接続されるフレキシブル電子回路をさらに備える、先行する請求項のいずれかに記載の電子衣類。
【請求項１３】
先行する請求項のいずれかに記載の電子衣類（１）を製造するための方法であって、以下の：
ａ）複数のセンサ（４）を備える第１のテキスタイル部（２）を提供するステップと、
ｂ）複数の導電性相互接続トラック（７）を備える第２のテキスタイル部（３）を提供するステップと、
ｃ）前記第１のテキスタイル部（２）上に複数の第１の機械的・電気的接続要素（５）を、及び、前記第２のテキスタイル部（３）上に複数の第２の機械的・電気的接続要素（６）を付加するステップであって、
−各第１の機械的・電気的接続要素（５）が前記第１のテキスタイル部（２）の少なくとも１つのセンサ（４）に電気的に接続され、
−各第２の機械的・電気的接続要素（６）が少なくとも１つの導電性相互接続トラック（７）に電気的に接続され、
−前記複数の第１の機械的・電気的接続要素（５）と前記複数の第２の機械的・電気的接続要素（６）が、前記第１のテキスタイル部（２）と前記第２のテキスタイル部（３）とを接触させる間に前記第１のテキスタイル部（２）と前記第２のテキスタイル部との機械的・電気的接続を可能にするように配置される、
ように付加するステップと、
ｄ）前記複数の第１の機械的・電気的接続要素（５）と前記複数の第２の機械的・電気的接続要素（６）との接続により、前記第１のテキスタイル部（２）と前記第２のテキスタイル部（３）を機械的・電気的に接続するステップと、
を含む、方法。
【請求項１４】
前記機械的・電気的に接続するステップｄ）が、前記第１のテキスタイル部を折り畳みライン（８）に沿って前記第２のテキスタイル部に対して折り畳むことにより実施される、請求項１３に記載の製造方法。
【請求項１５】
前記電子衣類（１）が少なくとも５つのテキスタイル部を備え、各テキスタイル部が、少なくとも４つの折り畳みラインに沿って折り畳むことにより隣接する部分上に折り畳まれる、請求項１３又は請求項１４に記載の製造方法。
【発明の詳細な説明】
【技術分野】
【０００１】
本発明は、スマート衣類の分野に関する。特に、本発明は、個人が着用可能であり、相互接続される電子部品を組み込むテキスタイルのいくつかの層を関連付けることによる電子衣類に関する。本発明はまた、このような電子衣類を製造する方法に関する。
【背景技術】
【０００２】
スマート衣類及びテキスタイルは、テキスタイルの制約に適合する支持体上に電子装置を組み込むことを必要とする。人体の異なる場所で生理的信号を測定する、例えば衣類などの特定の用途では、用いられるテキスタイルは、測定により記録された情報を伝達するために電子接続ネットワークを組み込むことができなければならない。これらの制約に対応するために、電子回路は、可撓性であって、密封されていなければならず、且つユーザにとって不快となることがあるので厚すぎてはならない。電子装置はまた、その日常の使用（取り扱う、洗濯する、乾燥させる、折り畳むこと…）においてテキスタイル又は衣類が課される制約のすべてに耐えることができなければならない。スマート衣類及びテキスタイルの分野での問題の１つは電子ノイズの低減であり、これは低強度の生理的信号を測定する際の基本的なポイントである。このノイズは、テキスタイルに組み込まれた電子回路とユーザの体との電気的結合、及び、電子回路自体を備えるパーツ間に生じる電気的結合に関連する。
【０００３】
したがって、電子ノイズを低減しながら、テキスタイルにいくつかの測定手段を含む電子回路を設計する手段を見つけ出すことが有用であろう。
【０００４】
さらに、電子回路の種々の構成要素間に硬質コネクタを用いること又はテキスタイルにワイヤを組み込むためにワイヤ間で溶接を用いることは、いくつかの欠点を有する。実際には、得られる電子テキスタイル衣類は、衣類に硬質部分が組み込まれることによりユーザにとってあまり快適ではない。加えて、水との接触中に（例えば、衣類の洗濯中に）、摩耗箇所、酸化箇所、又は短絡箇所が生じることにより、電気回路を備えるテキスタイルの寿命が損なわれることになる。
【０００５】
したがって、本発明は、電子ノイズを低減し、且つ快適な着用を可能にしながら、複数の測定手段を備える電子回路を組み込む、新しい電子衣類を開発することを目的とする。
【発明の概要】
【０００６】
この趣旨で、本発明は、個人の皮膚と接触するように構成された第１のテキスタイル部と第２のテキスタイル部とを重ねることにより形成される、ベスト、ズボン、又は帽子などの、個人が着用することを意図された電子衣類であって、
−第１のテキスタイル部が、生理的信号を受信するように構成された少なくとも１つのセンサと、少なくとも１つの第１の機械的・電気的接続要素とを備え、各センサは、第１の機械的・電気的接続要素に電気的に接続され、
−第２のテキスタイル部が、第１の機械的・電気的接続要素と機械的・電気的に接続されるように構成された少なくとも１つの第２の機械的・電気的接続要素と、前記又は各第２の機械的・電気的接続要素を電子システムに電気的に接続するように構成された少なくとも１つの導電性相互接続トラックを備え、
第１のテキスタイル部と第２のテキスタイル部が重ね合わされるときに対向して配置される、少なくとも１つの第１の機械的・電気的接続要素と少なくとも１つの第２の機械的・電気的接続要素との接続により、第１のテキスタイル部が第２のテキスタイル部に機械的に連結される、電子衣類を目的とする。
【０００７】
本発明によれば、測定手段と電子回路の他の構成要素との接続を可能にする電気トラックは、互いに電気的に接続される、２つの重ね合わされたテキスタイル部により形成される２つの異なるテキスタイル層上に配置される。２つの相互接続されるテキスタイル部を使用することにより、電気回路の配線又はより高度の複雑さが可能となる。
【０００８】
特に、電子衣類が第１のテキスタイル部と第２のテキスタイル部との重ね合わせにより形成されることは、
−  一方では、第１のテキスタイル部が、個人による電子衣類の着用状態において、衣類で覆われた被検者の体の一部の長手方向に従う及び／又は周方向に従う異なる位置に対応するように衣類の表面にわたって分布した複数のセンサを備えることを可能にし、例えばベストの場合には、第１のテキスタイル部は、肩の後ろに少なくとも１つのセンサを備え、且つ、上半身の周りに周方向に分布したいくつかのセンサを備えることができ、各センサは、有利には第１の機械的・電気的接続要素の近傍に存在し、
−  他方では、電子システムとの接続ゾーンの方向に第２の機械的・電気的接続要素を用い、且つ、第２のテキスタイル部の表面全体にわたって延びることができる導電性相互接続トラックを用いて、第２のテキスタイル部上に電気配線を設けることを可能にする。
【０００９】
本発明によれば、第１のテキスタイル部及び第２のテキスタイル部は、それぞれ、既製の衣類の一般的な形状を有する。したがって、電子衣類の製造は、特に他のテキスタイル部を第１及び第２のテキスタイル部上に縫いつけることによる追加又は締結を必要とせずに、第１のテキスタイル部と第２のテキスタイル部との簡単な組み立てにより得られるので簡単化される。有利な特徴によれば、第１のテキスタイル部と第２のテキスタイル部は、電子衣類を形成するために手直しする必要なくそれらを直に重ね合わせることができるように全く同じ表面を有する。
【００１０】
本発明の一態様によれば、第１のテキスタイル部及び第２のテキスタイル部のそれぞれは、電子衣類により覆われることを意図された例えば個人の上半身、個人の下半身、又は個人の腕、手、脚、足などとすることができる個人の体の一部の長手方向に沿って細長い形状を有する。次いで、有利な実施形態によれば、第１のテキスタイル部は、テキスタイル部の長手方向に沿って第１のテキスタイル部の一方の端及び他方の端の近傍にそれぞれ存在する、少なくとも２つのセンサを備え、一方、第２のテキスタイル部は、実質的にテキスタイル部の長手方向に沿って、第１のテキスタイル部のセンサのうちの１つに対向するゾーンから電子システムと共通の接続ゾーンへそれぞれ延びる、少なくとも２つの導電性相互接続トラックを備える。第１及び第２の部分が管状のケースでは、各テキスタイル部の長手方向は、管の長手方向である。テキスタイル部の長手方向に沿った衣類の両端の近傍のセンサの配置は、個人の体の一部の互いから分離されたいくつかのゾーンにおいて信号を検出すること及び種々のセンサから来る情報を交差させることを可能にする。したがって、特に、個人の運動の情報を推論することができ、これにより、ノイズを低減すること、及び、個人のより完全且つより正確な医学的フォローアップを提供することが可能となる。
【００１１】
本発明の一態様によれば、電子衣類は、その表面の少なくとも８０％にわたる、特にその表面の実質的に全体にわたる、第１のテキスタイル部と第２のテキスタイル部との重ね合わせを備える。この構成は、第１のテキスタイル部の表面全体にわたってセンサを分布させることにより、電子衣類により覆われた個人の全身にわたる測定を行うこと及び第２のテキスタイル部の表面全体にわたって関連する電子回路を設けることを可能にし、広く表面を利用可能であることは、例えば衣類の折り畳みに起因する相互接続トラックの交差又は短絡のリスクを低減する。有利には、電子衣類の実質的に表面全体にわたる第１のテキスタイル部と第２のテキスタイル部の重ね合わせはまた、その表面にわたって確実に衣類の均一な厚さをもたらすことを可能にし、衣類の着用の快適さ並びにその美的態様を向上させる。
【００１２】
一実施形態によれば、第１のテキスタイル部の１つ又は複数のセンサと、第２のテキスタイル部の１つ又は複数の導電性相互接続トラックは、導電ワイヤから、又は対応するテキスタイル部に織り込まれる、編み込まれる、刺繍される、蒸着される、又はプリントされる導電性材料で被覆されたワイヤから形成されるテキスタイル要素である。有利には、第１及び第２のテキスタイル部は、次いで、対応するテキスタイル部の製造中に直接組み込まれるテキスタイルセンサ及びテキスタイル相互接続トラックと共に、特に織る又は編むことにより、マシンで自動化された様態で製造される。したがって、電子衣類の製造に関する人間の介入を最小にすることができる。
【００１３】
本発明の一実施形態では、電子衣類の第１及び第２のテキスタイル部は、単一のテキスタイル部から形成され、この単一のテキスタイル部は、第１及び第２のテキスタイル部を画定する折り畳みラインに沿ってそれ自体の上に折り畳まれ、第１の機械的・電気的接続要素と第２の機械的・電気的接続要素は、折り畳みラインの両側に対称に配置される。この配置は、電子衣類を単一部品に製造すること、特に織る又は編むことにより、特に第１のテキスタイル部と第２のテキスタイル部を同じマシン上で同時に製造することを可能にし、これは、２つのテキスタイル部の電気要素（センサと相互接続トラック）間の良好な対応を保証する。
【００１４】
有利には、第１のテキスタイル部及び第２のテキスタイル部は管状であり、電子衣類は、それらを重ね合わせるために一方を他方の中に挿入することにより得られる。特に、電子衣類の第１及び第２のテキスタイル部が管状の単一のテキスタイル部から形成されるケースでは、電子衣類は、一方を他方の内部に簡単に折り畳む及び折り返すことにより得ることができる。
【００１５】
一実施形態によれば、前記又は各導電性相互接続トラックは、導電ワイヤを織り込むことにより、刺繍することにより、レース加工することにより、縫い込むことにより、編み込むことにより、若しくは導電インクのプリントにより実装される。
【００１６】
一実施形態によれば、第２のテキスタイル部は、帯電防止シールド手段を備える。
【００１７】
一実施形態によれば、第１のテキスタイル部は、電磁シールド手段を備える。
【００１８】
一実施形態によれば、第１の機械的・電気的接続要素は、第２の機械的・電気的接続要素の雄要素又は雌要素とそれぞれ協働することを意図された雌要素又は雄要素を備える。
【００１９】
一実施形態によれば、電子衣類は、電子衣類の第１のテキスタイル部の各テキスタイル電極をその拡散が制御される蒸気の形態で継続的に加湿するために第１のテキスタイル部と第２のテキスタイル部との間に挿入される、少なくとも１つのテキスタイル電極加湿装置を備える。各電極加湿装置は、水を吸収し保持することができる材料を含み、この材料は、第１のテキスタイル部側の、材料の層の外部から材料に向かう方向に液体の水を通すことができ且つ反対方向に液体の水を通さないが蒸気は通すことができる第１の層と、第２のテキスタイル部側の、液体の水及び蒸気を通さない第２の層との間に配置される。このような膨潤による加湿装置は、皮膚との最適な電気的接触と僅かな運動アーチファクトがもたらされるように、電極と個人の皮膚との十分な機械的接触をもたらすことを可能にする。二倍の厚さを有する本発明に係る衣類の構造は、有利には、電極加湿装置を第１のテキスタイル部と第２のテキスタイル部との間に画定される体積内に収容することを可能にする。
【００２０】
一実施形態によれば、電子衣類は、第３の絶縁テキスタイル部及び第４の電磁シールドテキスタイル部をさらに備え、前記第３の部分は、第２のテキスタイル部と第４のテキスタイル部との間に存在する。
【００２１】
一実施形態によれば、電子衣類は、第５のテキスタイル部をさらに備え、前記第５のテキスタイル部は、好ましくは、帯電防止シールド手段を備える。
【００２２】
一実施形態によれば、電子衣類は、第１のテキスタイル部及び／又は第２のテキスタイル部の機械的・電気的接続要素に機械的・電気的に接続されるフレキシブル電子回路をさらに備える。
【００２３】
本発明はさらに、前述のような電子衣類を製造するための方法であって、以下の：
ａ）複数のセンサを備える第１のテキスタイル部を提供するステップと、
ｂ）複数の導電性相互接続トラックを備える第２のテキスタイル部を提供するステップと、
ｃ）第１のテキスタイル部上に複数の第１の機械的・電気的接続要素を、及び、第２のテキスタイル部上に複数の第２の機械的・電気的接続要素を付加するステップであって、
−各第１の機械的・電気的接続要素が第１のテキスタイル部の少なくとも１つのセンサに電気的に接続され、
−各第２の機械的・電気的接続要素が少なくとも１つの導電性相互接続トラックに電気的に接続され、
−複数の第１の機械的・電気的接続要素と複数の第２の機械的・電気的接続要素が、前記第１のテキスタイル部と前記第２のテキスタイル部とを接触させる間に第１のテキスタイル部と第２のテキスタイル部との間の機械的・電気的接続を可能にするように配置される、
ように付加するステップと、
ｄ）複数の第１の機械的・電気的接続要素と複数の第２の機械的・電気的接続要素との接続により、第１のテキスタイル部と第２のテキスタイル部を機械的・電気的に接続するステップと、
を含む、方法に関する。
【００２４】
一実施形態によれば、機械的・電気的に接続するステップｄ）は、第１のテキスタイル部を折り畳みラインに沿って第２のテキスタイル部に対して折り畳むことにより実施される。
【００２５】
一実施形態によれば、電子衣類は、少なくとも５つのテキスタイル部を備え、各テキスタイル部は、少なくとも４つの折り畳みラインに沿って折り畳むことにより隣接する部分上に折り畳まれる。
【００２６】
定義
本発明では、以下の用語は、以下のように定義される：
「テキスタイル電極」という用語は、導電ワイヤで、或いは衣類に織り込まれる、編み込まれる、刺繍される、蒸着される、又はプリントされる導電性材料で被覆されたワイヤで形成される電極を意味する。一実施形態によれば、ワイヤは、金属ワイヤ又は金属コーティングで被覆されたワイヤであり、特に、ワイヤは、銀ワイヤ又は銀で被覆されたワイヤとすることができる。一実施形態によれば、ワイヤは、カーボンワイヤ、或いは炭素又は金属ナノ粒子のナノチューブなどの導電性粒子を含むワイヤである。一実施形態によれば、ワイヤは、ポリアニリンなどの本質的に導電性の有機材料で被覆される。
【００２７】
「いくつかの」又は「複数の」という用語は、少なくとも２つを意味する。
【００２８】
「生理的信号」という用語は、個人から測定することができる信号を意味する。
【００２９】
「テキスタイル」という用語は、例えば織る又は編むなどの任意の何らかの方法でワイヤ、繊維、及び／又はフィラメントを集成することにより得られる材料を意味する。
【００３０】
「ヒートシール」という用語は、随意的にヒートシーラントの付加をもって、加熱により２つのテキスタイルを接着することを意味する。
【００３１】
「帽子型の衣類」という用語は、個人の頭皮を覆う、頭髪などの毛と接触した状態で適用可能な、皮膚の上に直接着用されるテキスタイル衣類を意味し、特に帽子を含む。
【００３２】
「ベスト型の衣類」という用語は、個人の上半身を覆う、毛と接触した状態で適用可能な、皮膚の上に直接着用されるテキスタイル衣類を意味し、長袖、半袖、又は袖なしの区別なく、ベスト、Ｔシャツ、又はタンクトップを含む。
【００３３】
「ズボン型の衣類」という用語は、両脚が別々に覆われる状態で、個人の下半身を覆う毛と接触した状態で適用可能な、皮膚の上に直接着用されるテキスタイル衣類を意味する。
【００３４】
「スマート衣類」という用語は、いくつかの相互接続される導電性トラックを備え、電気信号を送信又は受信するように構成された、個人が着用可能な任意のテキスタイルを意味する。
【図面の簡単な説明】
【００３５】
【図１】本発明の一実施形態に係る衣類を形成することを意図されたテキスタイル電子装置の正面及び背面を例解する図である。
【図２】図１のテキスタイル電子装置を折り畳みラインに沿って折り畳むことにより得られる本発明に係る衣類を例解する図である。
【図３】図２の本発明に係る衣類の第１のテキスタイル部と第２のテキスタイル部との機械的・電気的接続の詳細を例解している。
【発明を実施するための形態】
【００３６】
図１及び図２に示すように、本発明は、少なくとも２つのテキスタイル部と複数の測定手段とを備える電子衣類１に関する。本発明はまた、前記電子衣類１を製造する方法に関する。
【００３７】
本発明に係る電子衣類１を形成することを意図されたテキスタイル装置は、個人の皮膚と接触するように構成された第１のテキスタイル部２と、少なくとも１つの第２のテキスタイル部３を備える。
【００３８】
限定ではない例として与えられる図面に示した例では、電子衣類１は、個人の上半身を覆うことを意図されたベスト型の衣類である。
【００３９】
この例では、第１のテキスタイル部２及び第２のテキスタイル部３は、管状であり、管状の形状の単一のテキスタイル部から形成され、電子衣類１は、一方を他方の内部に折り畳む及び折り返すことにより得られる。
【００４０】
第１のテキスタイル部２は、生理的信号を受信するように構成された複数のセンサ４と、複数の第１の機械的・電気的接続要素５とを備え、各センサ４は、少なくとも１つの第１の機械的・電気的接続要素５に電気的に接続される。
【００４１】
第２のテキスタイル部３は、前記第１の機械的・電気的接続要素５に機械的・電気的に接続されるように構成された、複数の第２の機械的・電気的接続要素６を備える。
【００４２】
第２のテキスタイル部３はまた、第２の機械的・電気的接続要素６を電子システムに電気的に接続するように構成された、複数の導電性相互接続トラック７を備える。
【００４３】
本発明の一態様によれば、衣類１、特に第１のテキスタイル部２は、センサ４を皮膚の上に直接に、すなわち皮膚と直接接触する状態に配置するように構成される。
【００４４】
図面に示した例では、第１のテキスタイル部２及び第２のテキスタイル部３のそれぞれは、電子衣類１により覆われることを意図された個人の体の一部、すなわちこの例では上半身の長手方向に沿って細長い形状を有する。第１のテキスタイル部２は、第１のテキスタイル部２の上端の近傍にあり着用状態において個人の肩の後ろに存在することを意図されたセンサ４と、第１のテキスタイル部２の下端の近傍にあり着用状態において個人の上半身の周りに周方向に分布することを意図されたセンサ４を含む、いくつかのセンサ４を備える。第２のテキスタイル部３は、少なくともその長さの一部にわたって、第２のテキスタイル部３の長手方向に、第１のテキスタイル部２のセンサ４のうちの１つに対向するゾーンから単なる例として個人のウエストの近傍に存在する電子システムとの共通の接続ゾーンへ延びる、複数の導電性相互接続トラック７を備える。
【００４５】
一実施形態によれば、センサ４は、電子衣類１を着用している個人の種々のタイプの生理的信号を受信するように構成される。
【００４６】
一実施形態によれば、センサ４により受信される生理的信号は、筋電気活動（例えば、心筋又は呼吸筋の）、血中酸素濃度、又は脳電気活動である。
【００４７】
一実施形態によれば、センサ４は、脳電気活動センサである。一実施形態によれば、センサ４は、筋電気活動（例えば、心筋又は呼吸筋の）センサである。一実施形態によれば、センサ４は、眼球運動センサである。一実施形態によれば、センサ４は、血中酸素濃度センサである。一実施形態によれば、センサ４は、体温センサである。
【００４８】
一実施形態によれば、センサ４は、外部電磁妨害センサである。
【００４９】
一実施形態によれば、センサ４は電極である。
【００５０】
一実施形態によれば、電極は、前記第１のテキスタイル部２の中に又は上に織り込まれる、編み込まれる、刺繍される、蒸着される、又はプリントされるテキスタイル電極を含む。
【００５１】
一実施形態によれば、電極は、電子衣類１を着用している個人の電気インピーダンスを測定するように配置することができる。
【００５２】
一実施形態によれば、電極は導電性電極である。
【００５３】
一実施形態によれば、第２のテキスタイル部３は、例えばアクチメータなどの皮膚との接触を必要としないセンサをさらに備える。
【００５４】
第２のテキスタイル部３は、複数の導電性相互接続トラック７を備える。一実施形態では、これらの導電性相互接続トラック７は、第２のテキスタイル部３に導電ワイヤを織り込む又は編み込むことにより得ることができる。一実施形態では、これらの導電性相互接続トラック７はさらに、第２のテキスタイル部３に導電ワイヤを刺繍すること、レース加工すること、又は縫い込むこと、若しくは当業者に公知の任意の他の手段により実装することができる。別の実施形態では、導電性相互接続トラック７は、ヒートシールすることにより実装される。
【００５５】
一実施形態では、導電ワイヤは、例えば銀などの導電性材料から形成される。
【００５６】
代替的な実施形態では、導電ワイヤは、導電性材料で被覆されたテキスタイルワイヤ、好ましくは導電性の金属で被覆されたテキスタイルワイヤ、さらに好ましくは銀で被覆されたテキスタイルワイヤで形成される。
【００５７】
別の実施形態では、導電性相互接続トラック７は、導電インクをプリントすることにより又は導電性の塗料により得られる。前記導電インク又は導電性の塗料は、可撓性の表面上に堆積されることを可能にする可撓性の特性を有する導電性材料に添加される。
【００５８】
一実施形態では、第２のテキスタイル部３は、１つ又はいくつかの絶縁ゾーンにより互いから分離される、いくつかの導電性相互接続トラック７を備える。
【００５９】
図３に示すように、本発明の一実施形態によれば、第１の機械的・電気的接続要素５は、テキスタイルを通る第２の機械的・電気的接続要素６の雄要素と協働することを意図された雌要素である。
【００６０】
代替的な実施形態によれば、第１の機械的・電気的接続要素５は、テキスタイルを通る第２の機械的・電気的接続要素６の雌要素と協働することを意図された雄要素である。
【００６１】
一実施形態によれば、第１の機械的・電気的接続要素５と第２の機械的・電気的接続要素６は、雄スナップファスナと雌スナップファスナである又はこの逆である。
【００６２】
一実施形態によれば、第１の機械的・電気的接続要素５と第２の機械的・電気的接続要素６は、縫うこと又はヒートシールすることにより機械的・電気的に接続される。
【００６３】
一実施形態によれば、第１の機械的・電気的接続要素５又は第２の機械的・電気的接続要素６は、外部電子要素又は外部機械要素に電気的・機械的に接続することができる。
【００６４】
一実施形態によれば、電子衣類１は、カーソルを用いてかみ合わされる歯装置要素により外部電子要素又は外部機械要素に電気的・機械的に接続される。
【００６５】
一実施形態によれば、電子衣類１は、第１のテキスタイル部２と第２のテキスタイル部３の機械的・電子的接続を可能にするジッパーを備える。
【００６６】
一実施形態では、第２のテキスタイル部３は、センサ４の測定に干渉することがある電子ノイズを低減することを可能にする帯電防止シールド手段を備える。一実施形態では、前記帯電防止シールド手段は、例えば、親水性の綿繊維又はポリアクリレート繊維、或いは炭素、金属、又は金属酸化物を添加した導電性の繊維、或いはポリアニリン又はポリビニルアルコールなどの導電性ポリマーで作製された繊維などの、帯電防止繊維で製造される第２のテキスタイル部３の領域である。代替的な実施形態では、前記帯電防止シールド手段は、金属又は金属化繊維或いは炭素繊維を用いて製造される。別の実施形態では、帯電防止シールド手段は、金属、炭素、又は導電性ポリマーのベースを有する帯電防止コーティングをテキスタイル上に直接適用することにより製造される。
【００６７】
一実施形態では、第１のテキスタイル部２は、外部電磁妨害を最小にすることを可能にする電磁シールド手段を備える。一実施形態では、前記電磁シールド手段は、導電性材料を用いて製造される。一実施形態では、前記電磁シールド手段は、例えば、液体溶液中にニッケル粒子又は銅粒子が分散されたものからなる金属インクをプリントすることにより得られる。
【００６８】
一実施形態では、第２のテキスタイル部３は、第１の部分及び第２の部分を備える。第２のテキスタイル部３の第１の部分は、少なくとも１つの導電性相互接続トラックと、少なくとも１つの第３の機械的・電気的接続要素と、少なくとも１つの電子装置を備える。前記第２のテキスタイル部３の第１の部分の少なくとも１つの導電性相互接続トラックは、少なくとも１つの電子装置を前記少なくとも１つの第３の機械的・電気的接続要素に電気的に接続するように構成される。前記導電性相互接続トラックの使用は、電子装置を前記少なくとも１つの第３の機械的・電気的接続要素から離して配置することを可能にし、これにより、第１のテキスタイル部２のセンサ４と第２のテキスタイル部３の第１の部分の電子装置が重ね合わされるのを防ぐこと、したがって電子衣類１での余計な厚さを最小に減らすことが可能となる。第２のテキスタイル部３の第２の部分は、第１の機械的・電気的接続要素５に機械的・電気的に接続されるように構成された、複数の第２の機械的・電気的接続要素６を備える。一実施形態によれば、前記複数の第２の機械的・電気的接続要素６はさらに、前記第３の機械的・電気的接続要素に機械的・電気的に接続されるように構成される。
【００６９】
一実施形態によれば、前記少なくとも１つの第３の機械的・電気的接続要素は、少なくとも１つの第２の機械的・電気的接続要素６及び／又は少なくとも１つの第１の機械的・電気的接続要素５と接続されるように構成される。
【００７０】
一実施形態によれば、第２のテキスタイル部３の第１の部分に含まれる少なくとも１つの電子装置は、体温を測定するための手段又は体温を調節するための手段である。前記体温を調節するための手段は、リウマチを患う個人に温熱療法を行うために用いることができる。
【００７１】
一実施形態によれば、少なくとも１つの電子装置は、心筋の電気活動、呼吸筋の活動、又は運動を測定することを可能にする。
【００７２】
一実施形態によれば、少なくとも１つの電子装置は、外部電磁妨害を測定することを可能にする。
【００７３】
一実施形態では、電子衣類は、第３の絶縁テキスタイル部及び第４の電磁シールドテキスタイル部をさらに備え、前記第３のテキスタイル部は、第２のテキスタイル部と第４のテキスタイル部との間に存在する。
【００７４】
一実施形態では、電子衣類は、第５のテキスタイル部をさらに備え、前記第５のテキスタイル部は、好ましくは、帯電防止シールド手段を備える。
【００７５】
一実施形態では、前記第３のテキスタイル部の絶縁テキスタイルは、帯電防止シールドである。
【００７６】
一実施形態によれば、前記帯電防止シールドは、例えば、親水性の綿繊維又はポリアクリレート繊維、或いは炭素、金属、又は金属酸化物を添加した導電性の繊維、或いはポリアニリン又はポリビニルアルコールなどの導電性ポリマー繊維などの、帯電防止繊維で提供される。代替的な実施形態では、帯電防止シールドは、金属又は金属化繊維又は綿繊維から、或いは金属、炭素、又は導電性ポリマーのベースを有する帯電防止コーティングをテキスタイル上に直接適用することにより得られる。
【００７７】
一実施形態では、第４の電磁シールドテキスタイル部は、金属又は金属化繊維を織り込むことにより、又は代替的に金属インクで刷ることにより得られる。
【００７８】
一実施形態によれば、第１のテキスタイル部２は、第２のテキスタイル部３に接続され、少なくとも１つの第１の機械的・電気的接続要素５と少なくとも１つの第２の機械的・電気的接続要素６は、第１のテキスタイル部２と第２のテキスタイル部３とを折り畳みライン８に沿って折り畳むことにより接触させる間に機械的・電気的接続が可能となるように、衣類１を形成することを意図されたテキスタイル電子装置の折り畳みライン８に関して対称に配置される。
【００７９】
一実施形態によれば、電子衣類１を形成することを意図されたテキスタイル装置は、テキスタイル部のすべてがつながった単一部品で提供される。したがって、異なるテキスタイル部を折り畳みラインに沿って一方を他方の上に折り畳むことができる。
【００８０】
一実施形態によれば、電子衣類１は、個人の頭の上に着用することができる帽子型、個人の上半身の上に着用することができるベスト型、又は個人の下半身の上に着用することができるズボン型の衣類である。一実施形態によれば、電子衣類１は、個人の手の上に着用することができる手袋型の衣類、個人の足の上に着用することができ、且つ個人のふくらはぎの一部を覆うことができる靴下型の衣類、又は個人の皮膚の上に直接着用することができる下着型の衣類である。
【００８１】
一実施形態によれば、第１のテキスタイル部２、第２のテキスタイル部３、第３のテキスタイル部、第４のテキスタイル部、及び第５のテキスタイル部は、少なくとも部分的に弾性であり、個人の体の上の解剖学的マークに対する測定手段の正しい位置決めをもたらす硬質及び／又は可撓性テキスタイルゾーンを含む。
【００８２】
一実施形態によれば、電子衣類１は、第１のテキスタイル部２の及び／又は第２のテキスタイル部３の機械的・電気的接続要素に機械的・電気的に接続される電子回路をさらに備える。
【００８３】
一実施形態によれば、電子回路は、特にフレキシブルプリント回路型の、可撓性の支持体上の電子回路である。
【００８４】
フレキシブル電子回路は、例えばポリアミドなどの高性能プラスチック基板を用いることからなる当業者によく知られた技術である。したがって、フレキシブル電子回路は、電子部品のための電気的・機械的支持体である。これはポリアミド型、ポリエーテルエーテルケトン（ＰＥＥＫ）、ポリエステル（ＰＥ）などの可撓性の支持体上に実装される。この可撓性の支持体は、フレキシブル電子回路を破壊せずに電子衣類１を折り畳むこと又は変形させることを可能にする。
【００８５】
それらはフレキシブル電子回路の製造を左右することが当業者には分かるであろう。後者は広く知られており、多様な用途に用いられる。
【００８６】
別の実施形態では、電子回路は、可撓性ではないが、本発明に係る電子衣類１の可撓性を妨げないように構成された表面及び体積を有する。
【００８７】
これはまた、例えばガラス繊維強化エポキシ樹脂（ＦＲ−４）などの硬質の支持体上に実装することもできる。
【００８８】
電子回路は、導電性相互接続トラック７により他の電気要素に電気的に接続される。電気的に接続される要素の組は、引き伸ばし可能であり可撓性である電気テキスタイルプリント回路の均等物を形成する。
【００８９】
本発明はまた、電子衣類１を製造するための方法に関する。前記方法は、複数のセンサ４を備える第１のテキスタイル部２と、複数の導電性相互接続トラック７を備える第２のテキスタイル部３を提供するステップを含む。
【００９０】
電子衣類１を製造するための方法は、次いで、第１のテキスタイル部２上に複数の第１の機械的・電気的接続要素５を付加し、第２のテキスタイル部３上に複数の第２の機械的・電気的接続要素６を付加するステップを含む。第１の機械的・電気的接続要素５は、それぞれが第１のテキスタイル部２の少なくとも１つのセンサ４に電気的に接続されるように付加される。第２の機械的・電気的接続要素６は、それぞれが少なくとも１つの導電性相互接続トラック７に電気的に接続されるように付加される。第１の機械的・電気的接続要素５と第２の機械的・電気的接続要素６は、第１のテキスタイル部２を第２のテキスタイル部３と接触させる間に第１のテキスタイル部２と第２のテキスタイル部３との機械的・電気的接続が可能となるように配置される。
【００９１】
電子衣類１を製造するための方法は、最後に、複数の第１の機械的・電気的接続要素５と複数の第２の機械的・電気的接続要素６との接続により、第１のテキスタイル部２と第２のテキスタイル部３を機械的・電気的に接続するステップを含む。
【００９２】
一実施形態によれば、第１のテキスタイル部２は、第２のテキスタイル部３に接続される。一実施形態によれば、２つのテキスタイル部２及び３は、縫うこと、ヒートシールすること、リベットを挿入すること、又はスナップファスナにより互いに接続される。
【００９３】
一実施形態によれば、接触させることにより機械的・電気的に接続するステップは、第１のテキスタイル部２を折り畳みライン８に沿って第２のテキスタイル部３に対して折り畳むことにより実施される。
【００９４】
一実施形態によれば、電子衣類１を製造する方法は、第１の部分及び第２の部分を備え、且つ一緒に接続される少なくとも１つの導電性相互接続トラック及び少なくとも１つの電子装置を備える、第２のテキスタイル部３を提供するステップをさらに含む。
【００９５】
この実施形態によれば、製造する方法は、少なくとも１つの第３の機械的・電気的接続要素が少なくとも１つの導電性相互接続トラックに電気的に接続されるように前記少なくとも１つの第３の機械的・電気的接続要素を前記第２のテキスタイル部３の第１の部分に組み込むステップをさらに含み、前記少なくとも１つの第３の機械的・電気的接続要素は、第１のテキスタイル部２と第２のテキスタイル部３とを接触させる間に少なくとも１つの第１の機械的・電気的接続要素５又は少なくとも１つの第２の機械的・電気的接続要素６との機械的・電気的接続が可能となるように配置される。
【００９６】
この実施形態によれば、製造する方法は、少なくとも１つの第３の機械的・電気的接続要素と少なくとも第１の機械的・電気的接続要素５及び／又は少なくとも第２の機械的・電気的接続要素６との接続により、第１のテキスタイル部２を第２のテキスタイル部３の第１の部分及び第２の部分と機械的・電気的に接続する最終ステップを含む。
【００９７】
この実施形態によれば、第２のテキスタイル部３の第１の部分は、折り畳みライン８に沿った折り畳み中に第１のテキスタイル部２と第２のテキスタイル部３の第２の部分との間に配置される。
【００９８】
一実施形態によれば、電子衣類１は、少なくとも５つのテキスタイル部を備える。この実施形態では、製造する方法のうちの、接触させることにより機械的・電気的に接続するステップは、少なくとも４つの折り畳みラインに沿って折り畳むことによって、各テキスタイル部を隣接する部分の上に折り畳むことにより実施される。
【００９９】
一実施形態によれば、フレキシブル電子回路は、折り畳み中に２つの他のテキスタイル部の間に配置されるように、テキスタイル装置のテキスタイル部のうちの少なくとも１つの上に存在する。
【符号の説明】
【０１００】
１−電子衣類
２−第１のテキスタイル部
３−第２のテキスタイル部
４−センサ
５−第１の機械的・電気的接続要素
６−第２の機械的・電気的接続要素
７−導電性相互接続トラック
８−折り畳みライン
【図１】
2020512095.tif 000003
【図２】
2020512095.tif 000004
【図３】
2020512095.tif 000005
【国際調査報告】
2020512095.tif 000006
2020512095.tif 000007
2020512095.tif 000008
2020512095.tif 000009
2020512095.tif 000010
2020512095.tif 000011